(57)【要約】【課題】押圧操作部材と揺動操作部材とが直接隣接しており両操作部材の間からの光漏れを抑制可能な照光式操作装置を提供すること。【解決手段】照光式操作装置であって、押圧操作部材（４０）と、揺動操作部材（５０）と、押圧操作部材（４０）を照光する光源（２２）とを備え、押圧操作部材（４０）は、押圧操作部（４２）と、遮光性を有するとともに押圧操作部（４２）の裏面から延びる形状の側壁（４４）とを有し、押圧操作部（４２）は、側壁（４４）の外側面（４４ａ）よりも外側に張り出す張出部（４２ａ）を含み、揺動操作部材（５０）は、張出部（４２）と直接隣接している揺動操作部（５２）と、側壁（４４）の外側かつ張出部（４２ａ）の裏側で押圧方向と平行な方向に隙間（Ｓ）をおいて当該方向に張出部（４２ａ）と重なり合う重なり部（５４）とを有すること。【選択図】図３
2015050135.tif 000002
【特許請求の範囲】
【請求項１】
照光式操作装置であって、
押圧操作が可能な押圧操作部材と、
揺動操作が可能な揺動操作部材と、
前記押圧操作部材を照光する光源と、を備え、
前記押圧操作部材は、押圧操作される押圧操作部と、遮光性を有するとともに前記押圧操作部の裏面から当該押圧操作部材の押圧方向に向かって延びる形状の側壁とを有し、
前記押圧操作部は、前記側壁の外側面よりも外側に張り出す張出部を含み、
前記揺動操作部材は、前記張出部と直接隣接しており前記押圧方向に押圧操作される揺動操作部と、前記側壁の外側かつ前記張出部の裏側で前記押圧方向と平行な方向に隙間をおいて当該方向に前記張出部と重なり合う重なり部とを有する照光式操作装置。
【請求項２】
請求項１に記載の照光式操作装置において、
前記揺動操作部材は、前記揺動操作部の裏面から前記押圧方向に沿って延びることにより当該揺動操作部と前記重なり部とを連結する連結部をさらに有する照光式操作装置。
【請求項３】
請求項１又は２に記載の照光式操作装置において、
前記重なり部は、その外側の端面が前記押圧操作部材と前記揺動操作部材との並び方向について前記側壁の外側面と対向する対向面を構成し、
前記対向面の前記押圧方向側の端部は、前記側壁の同側の端部に至る長さに設定されている照光式操作装置。
【請求項４】
請求項１ないし３のいずれかに記載の照光式操作装置において、
前記揺動操作部材は、前記押圧操作部材と当該揺動操作部材との並び方向と平行な方向に延びる揺動軸回りに揺動可能である照光式操作装置。
【請求項５】
請求項１ないし４のいずれかに記載の照光式操作装置において、
前記押圧操作部材及び前記揺動操作部材を保持する保持部材をさらに備え、
前記保持部材は、前記押圧操作部材を保持する押圧操作部材保持部を有し、
前記押圧操作部材保持部は、遮光性を有し、かつ、前記側壁の内側で前記光源の周囲を取り囲むとともに前記押圧操作部材と前記揺動操作部材との並び方向について前記側壁と対向する形状を有する照光式操作装置。
【発明の詳細な説明】
【技術分野】
【０００１】
本発明は、車両等に備えられた電子機器の操作に使用するための照光式操作装置に関するものである。
【背景技術】
【０００２】
従来、様々な電子機器に搭載される照光式の操作装置として、操作者による押圧操作が可能な押圧操作部材と操作者による揺動操作が可能な揺動操作部材との双方を備えるものが知られている。このような照光式操作装置では、前記押圧操作部材と前記揺動操作部材とが互いに隣接する配置が望まれることが多く、両操作部材がそのように配置された照光式操作装置が開発されている。
【０００３】
例えば、特許文献１には、押圧操作部材と、この押圧操作部材の隣に配置された揺動操作部材と、押圧操作部材を照光する光源と、押圧操作部材と揺動操作部材との間を仕切る枠部を有するケースと、を備える照光式操作装置が開示されている。前記押圧操作部材及び前記揺動操作部材はそれぞれ、操作者により操作される操作部と、この操作部の周縁部から押圧方向に延びる側壁とを有している。前記枠部は、前記押圧方向に延びる形状を有しており、前記押圧操作部材の側壁と前記揺動操作部材の側壁との間に配置されている。前記押圧操作部材の側壁は、遮光性を有している。
【０００４】
この特許文献１に記載の照光式操作装置では、前記押圧操作部材を照光するための光源から出射された出射光は、前記押圧操作部材の操作部をその裏側から照光する一方で、前記出射光のうち前記押圧操作部材の外側に向かう光は、遮光性を有する側壁により遮光される。
【先行技術文献】
【特許文献】
【０００５】
【特許文献１】特開平１０−１２５１７９号公報
【発明の概要】
【発明が解決しようとする課題】
【０００６】
上記特許文献１に記載の照光式操作装置では、前記出射光のうち前記押圧操作部材の外側に向かう光は、遮光性を有する側壁により遮光されるにもかかわらず、前記出射光が前記押圧操作部材の外側に至り、これにより当該押圧操作部材と前記枠部との隙間から光が漏れるおそれがある。例えば、前記出射光が前記押圧操作部材の操作部の裏面等に反射することにより、この反射光が当該押圧操作部材の側壁を迂回して当該側壁の外側に至る場合があり、この場合、その反射光が前記押圧方向に延びる側壁と前記押圧方向に延びて前記側壁と対向する枠部との隙間を前記押圧方向と反対方向に進行して外部に漏れるおそれがある。
【０００７】
一方で、デザイン上、前記枠部を介することなく前記押圧操作部材と前記揺動操作部材とが互いに直接隣接する配置が望まれている。
【０００８】
本発明の目的は、押圧操作部材と揺動操作部材とが直接隣接しており両操作部材の間からの光漏れを抑制可能な照光式操作装置を提供することである。
【課題を解決するための手段】
【０００９】
前記課題を解決するために、本発明は、照光式操作装置であって、押圧操作が可能な押圧操作部材と、揺動操作が可能な揺動操作部材と、前記押圧操作部材を照光する光源と、を備え、前記押圧操作部材は、押圧操作される押圧操作部と、遮光性を有するとともに前記押圧操作部の裏面から当該押圧操作部材の押圧方向に向かって延びる形状の側壁とを有し、前記押圧操作部は、前記側壁の外側面よりも外側に張り出す張出部を含み、前記揺動操作部材は、前記張出部と直接隣接しており前記押圧方向に押圧操作される揺動操作部と、前記側壁の外側かつ前記張出部の裏側で前記押圧方向と平行な方向に隙間をおいて当該方向に前記張出部と重なり合う重なり部とを有する照光式操作装置を提供する。
【００１０】
本発明では、前記押圧操作部材の側壁の外側で前記張出部と前記重なり部とが前記押圧方向と平行な方向に隙間をおいて当該方向に互いに重なり合っているので、前記光源から出射された光が前記押圧操作部の裏面等に反射することによって前記側壁を迂回して当該側壁の外側へ至ったとしても、当該光がそのまま各操作部材間から漏れるのではなく、前記張出部と前記重なり部との間で前記押圧方向と平行な方向に反射を繰り返すことによって減衰する。よって、前記押圧操作部材と前記揺動操作部材との間からの光漏れが抑制される。さらに、前記重なり部が前記張出部の裏側で当該張出部と重なり合っていることにより、前記押圧操作部及び前記揺動操作部が互いの間に他の部材を介在させることなく直接隣接する配置が可能となる。換言すれば、本発明では、前記押圧操作部と前記揺動操作部とが直接隣接する配置を逆に利用して、前記押圧操作部材の側壁の外側に張り出す前記張出部と前記揺動操作部材の重なり部とが互いに重なり合う構造にすることにより、デザイン性の確保と各操作部材間からの光漏れの抑制との双方が達成される。
【００１１】
この場合において、前記揺動操作部材は、前記揺動操作部の裏面から前記押圧方向に沿って延びることにより当該揺動操作部と前記重なり部とを連結する連結部をさらに有することが好ましい。
【００１２】
このようにすれば、前記張出部と前記重なり部との隙間が前記連結部の前記押圧方向と平行な方向の寸法分だけ確保されるので、当該隙間における前記光源から出射された光の減衰効果を維持しながら前記押圧操作部材の押圧ストロークが確保される。
【００１３】
また、本発明において、前記重なり部は、その外側の端面が前記押圧操作部材と前記揺動操作部材との並び方向に前記側壁の外側面と対向する対向面を構成し、前記対向面の前記押圧方向側の端部は、前記側壁の同側の端部に至る長さに設定されていることが好ましい。
【００１４】
このようにすれば、前記側壁と前記対向面との間の前記押圧方向と平行な方向の長さが十分に確保されるので、前記張出部と前記重なり部との隙間へ至る光の光量が低減する。具体的には、前記光源から出射された後前記押圧操作部の裏面等で反射することによって前記側壁の外側に至った光は、前記側壁の外側と前記対向面との間を通るときに当該側壁の外側面と当該対向面との間で前記並び方向に反射を繰り返すことによって減衰する。よって、前記張出部と前記重なり部との隙間へ至る光の光量が低減する。したがって、両操作部材間からの光漏れが一層抑制される。
【００１５】
また、本発明において、前記揺動操作部材は、前記押圧操作部材と当該揺動操作部材との並び方向と平行な方向に延びる揺動軸回りに揺動可能であることが好ましい。
【００１６】
このようにすれば、前記揺動操作部材が操作された場合であっても、前記並び方向についての前記押圧操作部と前記揺動操作部との間の寸法が前記揺動操作部材の操作前のそれと比べて大きくならない。よって、揺動操作部材の操作時においても両操作部材間からの光漏れが抑制される。
【００１７】
また、本発明において、前記押圧操作部材及び前記揺動操作部材を保持する保持部材をさらに備え、前記保持部材は、前記押圧操作部材を保持する押圧操作部材保持部を有し、前記押圧操作部材保持部は、遮光性を有し、かつ、前記側壁の内側で前記光源の周囲を取り囲むとともに前記押圧操作部材と前記揺動操作部材との並び方向について前記側壁と対向する形状を有することが好ましい。
【００１８】
このようにすれば、前記光源から前記押圧操作部材と前記揺動操作部材との間へ至る光の光量が低減されるので、両操作部材間からの光漏れがさらに抑制される。具体的には、前記光源から出射された後前記押圧操作部の裏面等で反射することによって前記押圧操作部材保持部の外側に至った光は、前記押圧操作部材保持部と前記側壁との間を通るときに当該押圧操作部材保持部の外側面と当該側壁の内側面との間で前記並び方向に反射を繰り返すことによって減衰する。よって、前記張出部と前記重なり部との隙間へ至る光の光量が低減するので、両操作部材間からの光漏れが一層抑制される。
【発明の効果】
【００１９】
以上のように、本発明によれば、押圧操作部材と揺動操作部材とが直接隣接しており両操作部材の間からの光漏れを抑制可能な照光式操作装置を提供することができる。
【図面の簡単な説明】
【００２０】
【図１】本発明の一実施形態の照光式操作装置の平面図である。
【図２】図１に示すＩＩ−ＩＩ線での断面図である。
【図３】図２に示す照光式操作装置を部分的に拡大した斜視図である。
【図４】図２に示すＩＶ−ＩＶ線での断面図である。
【図５】第一光源から出射された光の光路を概略的に示す図である。
【発明を実施するための形態】
【００２１】
本発明の一実施形態の照光式操作装置について、図１〜図４を参照しながら説明する。
【００２２】
図１〜図３に示されるように、本実施形態の照光式操作装置は、ケース１０と、回路基板２０と、保持部材３０と、押圧操作部材４０と、揺動操作部材５０と、を備えている。本実施形態では、図１に示されるように、押圧操作部材４０の一方側（図１の右側）及び他方側（図１の左側）のそれぞれに揺動操作部材５０が配置されている。ただし、これらのいずれか一方は省略されてもよい。
【００２３】
ここで、以下の説明において、押圧操作部材４０と揺動操作部材５０とが互いに隣接する方向（図１及び図２の左右方向）を並び方向とし、操作者が押圧操作部材４０を押圧する方向（図２の下方向）を押圧方向とする。
【００２４】
図２及び図３に示されるように、ケース１０は、回路基板２０を載置可能なリアケース１２と、このリアケース１２と嵌合可能なフロントケース１４とを有する。フロントケース１４は、リアケース１２と嵌合したときに当該リアケース１２とともに回路基板２０をその厚み方向の両側から挟持する。フロントケース１４は、押圧操作部材４０及び揺動操作部材５０を露出させる形状の開口１４ａを有する。
【００２５】
回路基板２０は、リアケース１２上に固定される。図２及び図３に示されるように、回路基板２０には、押圧操作部材４０を照光するための第一光源２２と、揺動操作部材５０を照光するための第二光源２４と、押圧操作部材４０の押圧操作を検出する検出素子（図示略）と、揺動操作部材５０の押圧操作を検出する検出素子（図示略）とが実装されている。
【００２６】
第一光源２２は、回路基板２０のうち押圧操作部材４０と対向する部位に実装されており、押圧操作部材４０をその裏面側から照光する。第二光源２４は、回路基板２０のうち揺動操作部材５０と対向する部位に実装されており、揺動操作部材５０をその裏面側から照光する。
【００２７】
保持部材３０は、遮光性を有する部材で構成されており、回路基板２０に固定される。図２及び図３に示されるように、保持部材３０は、押圧操作部材４０を保持する押圧操作部材保持部３２と、揺動操作部材５０を揺動可能に保持する揺動操作部材保持部３４とを有する。
【００２８】
押圧操作部材保持部３２は、第一光源２２を取り囲む筒状を呈する。押圧操作部材保持部３２は、押圧操作部材４０が前記押圧方向と平行な方向に変位するのを許容するように当該押圧操作部材４０を保持する。
【００２９】
揺動操作部材保持部３４は、第二光源２４を取り囲む筒状を呈する。揺動操作部材保持部３４は、揺動軸３４ａを有し、この揺動軸３４ａ回りに揺動操作部材５０を揺動可能に保持する。揺動軸３４ａは、前記並び方向（図２の左右方向）と平行な方向に延びている。
【００３０】
押圧操作部材４０は、押圧方向（図２の下方向）の押圧操作を受けたときに図示略の検出素子を押圧する。本実施形態では、押圧操作部材４０の押圧操作により、吹き出し口のモードが切り替えられる。押圧操作部材４０は、操作者による押圧操作を受ける押圧操作部４２と、この押圧操作部４２の裏面から前記押圧方向に沿って延びる形状の側壁４４とを有する。
【００３１】
押圧操作部４２は、図１に示されるように平面視で略矩形状を有する。押圧操作部４２には、第一光源２２により照光される表示部４３が形成されている。押圧操作部４２のうち表示部４３以外の部位は遮光性を有するように形成されている。図２及び図３に示されるように、押圧操作部４２は、側壁４４よりも外側に張り出す張出部４２ａを有する。
【００３２】
側壁４４は、遮光性を有しており、押圧操作部材保持部３２の外側に配置されている。本実施形態では、押圧操作部材保持部３２よりも前記並び方向の一方側（図２の右側）及び他方側（図２の左側）の双方に側壁４４が配置されている。側壁４４は、前記並び方向について押圧操作部材保持部３２と重なるようにその押圧方向と平行な方向の長さが設定されている。
【００３３】
揺動操作部材５０は、揺動軸３４ａ回りに揺動可能な操作部材である。本実施形態では、押圧操作部材４０の一方側（図１及び図２の右側）に配置された揺動操作部材５０の押圧操作により、風量が調整され、押圧操作部材４０の他方側（図１及び図２の左側）に配置された揺動操作部材５０の押圧操作により、内気循環及び外気導入のいずれかに切り替えられる。図２及び図３に示されるように、揺動操作部材５０は、操作者による押圧操作を受ける揺動操作部５２と、張出部４２ａと重なり合う重なり部５４と、揺動操作部５２と重なり部５４とを連結する連結部５６とを有する。
【００３４】
揺動操作部５２は、図１に示されるように平面視で略矩形状を呈する。揺動操作部５２は、押圧操作部４２と前記並び方向に直接隣接している。つまり、揺動操作部５２及び押圧操作部４２は、両者の間に他の部材を介在させることなく互いに隣接している。揺動操作部５２は、揺動軸３４ａを挟んだ両側に設けられた第一操作部５２ａと第二操作部５２ｂとを有する。第一操作部５２ａが押圧操作されることにより、特定の検出素子（図示略）が押圧され、第二操作部５２ｂが押圧操作されることにより、前記特定の検出素子とは別の検出素子（図示略）が押圧される。第一操作部５２ａ及び第二操作部５２ｂには、第二光源２４により照光される表示部５３がそれぞれ形成されている。揺動操作部５２のうち表示部５３以外の部位は遮光性を有するように形成されている。
【００３５】
重なり部５４は、側壁４４の外側かつ張出部４２ａの裏側で前記押圧方向と平行な方向（図２の上下方向）に隙間Ｓをおいて当該方向に張出部４２ａと重なり合っている。この隙間Ｓの前記押圧方向と平行な方向の寸法分だけ押圧操作部材４０の押圧操作が許容される。重なり部５４は、連結部５６の前記押圧方向の先端から側壁４４側に突出する形状を有する。図３及び図４に示されるように、重なり部５４には、揺動軸３４ａを挿入可能な穴５４ａが形成されている。重なり部５４は、揺動軸３４ａに沿うとともに前記押圧方向と平行な基準面を基準として面対称な形状を有する。
【００３６】
重なり部５４は、前記押圧方向と反対を向く側（図４の上側）の端部に形成された第一傾斜面５４ｂと第二傾斜面５４ｃとを有する。第二傾斜面５４ｃは、前記基準面を基準として第一傾斜面５４ｂと対称な位置に形成されている。第一傾斜面５４ｂ及び第二傾斜面５４ｃは、揺動操作部材５０が操作されて重なり部５４が揺動軸３４ａ回りに揺動したときに張出部４２ａの裏面と干渉しない形状、すなわち、当該傾斜面と張出部４２ａの裏面との間に隙間Ｓが確保される形状に設定される。本実施形態では、第一傾斜面５４ｂ及び第二傾斜面５４ｃは、前記基準面から離間するにしたがって前記押圧方向に向かう形状を有する。
【００３７】
重なり部５４は、その外側の端面が並び方向について側壁４４の外側面４４ａと対向する対向面５４ｄを構成している。図２に示されるように、対向面５４ｄの前記押圧方向側の端部は、側壁４４の同側の端部よりも当該押圧方向に突出している。
【００３８】
連結部５６は、揺動操作部５２の裏面から前記押圧方向に沿って延びることにより当該揺動操作部５２と重なり部５４とを連結する。本実施形態では、連結部５６は、揺動操作部５２のうちの押圧操作部４２と隣接する側の縁部と重なり部５４のうちの内側の端部とを連結している。
【００３９】
以上説明したように、本実施形態の照光式操作装置では、押圧操作部材４０の側壁４４の外側で張出部４２ａと重なり部５４とが前記押圧方向と平行な方向に隙間Ｓをおいて当該方向に互いに重なり合っているので、図５に示されるように、第一光源２２から出射された光Ｌが押圧操作部４２の裏面等に反射することによって側壁４４を迂回して当該側壁４４の外側へ至ったとしても、当該光Ｌがそのまま各操作部材間から漏れるのではなく、張出部４２ａと重なり部５４との間で前記押圧方向と平行な方向に反射を繰り返すことによって減衰する。よって、押圧操作部材４０と揺動操作部材５０との間からの光漏れが抑制される。さらに、重なり部５４が張出部４２ａの裏側で当該張出部４２ａと重なり合っていることにより、押圧操作部４２及び揺動操作部５２が互いの間に他の部材を介在させることなく直接隣接する配置が可能となる。換言すれば、本実施形態では、押圧操作部４２と揺動操作部５２とが直接隣接する配置を逆に利用して、当該押圧操作部４２の張出部４２ａと揺動操作部材５０の重なり部５４とが互いに重なり合う構造にすることにより、デザイン性の確保と各操作部材間からの光漏れの抑制との双方が達成される。
【００４０】
また、本実施形態では、重なり部５４の対向面５４ｄの前記押圧方向側の端部は、側壁４４の同側の端部に至る長さに設定されていることから、側壁４４と対向面５４ｄとの間の前記押圧方向と平行な方向の長さが十分に確保されるので、張出部４２ａと重なり部５４との隙間Ｓへ至る光Ｌの光量が低減する。具体的には、図５に示されるように、第一光源２２から出射された後押圧操作部４２の裏面等で反射することによって側壁４４の外側に至った光Ｌは、側壁４４の外側と対向面５４ｄとの間を通るときに当該側壁４４の外側面４４ａと当該対向面５４ｄとの間で前記並び方向に反射を繰り返すことによって減衰する。よって、張出部４２ａと重なり部５４との隙間Ｓへ至る光Ｌの光量が低減する。したがって、両操作部材間からの光漏れが一層抑制される。
【００４１】
さらに、本実施形態発明では、押圧操作部材保持部３２は、遮光性を有し、かつ、側壁４４の内側で第一光源２２の周囲を取り囲むとともに前記並び方向について側壁４４と対向する形状を有することから、第一光源２２から押圧操作部材４０と揺動操作部材５０との間へ至る光Ｌの光量が低減されるので、両操作部材間からの光漏れがさらに抑制される。具体的には、図５に示されるように、第一光源２２から出射された後押圧操作部４２の裏面等で反射することによって押圧操作部材保持部３２の外側に至った光Ｌは、押圧操作部材保持部３２と側壁４４との間を通るときに押圧操作部材保持部３２の外側面と側壁４４の内側面との間で前記並び方向に反射を繰り返すことによって減衰する。よって、前記隙間Ｓへ至る光Ｌの光量が低減するので、両操作部材間からの光漏れが一層抑制される。
【００４２】
また、本実施形態の揺動操作部材５０は、揺動操作部５２の裏面から前記押圧方向に沿って延びることにより揺動操作部５２と重なり部５４とを連結する連結部５６を有するので、張出部４２ａと重なり部５４との隙間Ｓが当該連結部５６の前記押圧方向と平行な方向の寸法分だけ確保される。よって、前記隙間Ｓにおける第一光源２２から出射された光の減衰効果を維持しながら押圧操作部材４０の押圧ストロークが確保される。
【００４３】
また、本実施形態では、揺動操作部材５０は、前記並び方向と平行な方向に延びる揺動軸３４ａ回りに揺動することから、揺動操作部材５０が操作された場合であっても、前記並び方向についての押圧操作部４２と揺動操作部５２との間の寸法が揺動操作部材５０の操作前のそれと比べて大きくならない。よって、揺動操作部材５０の操作時においても両操作部材間からの光漏れが抑制される。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、本実施形態では、揺動操作部材５０が前記並び方向と平行な方向に延びる揺動軸３４ａ回りに揺動する例が示されたが、揺動操作部材５０は、前記並び方向及び前記押圧方向の双方と直交する方向（図１の上下方向）に延びる揺動軸回りに揺動するように構成されてもよい。
【符号の説明】
【００４６】
１０    ケース
１２    リアケース
１４    フロントケース
１４ａ  開口
２０    回路基板
２２    第一光源
２４    第二光源
３０    保持部材
３２    押圧操作部材保持部
３４    揺動操作部材保持部
３４ａ  揺動軸
４０    押圧操作部材
４２    押圧操作部
４２ａ  張出部
４４    側壁
５０    揺動操作部材
５２    揺動操作部
５４    重なり部
５４ａ  対向部
５６    連結部
Ｓ      隙間
【図１】
2015050135.tif 000003
【図２】
2015050135.tif 000004
【図３】
2015050135.tif 000005
【図４】
2015050135.tif 000006
【図５】
2015050135.tif 000007